(57)【要約】【課題】携帯電話機から所望の受信者へメッセージを送信するための簡易化された方法を提供する。【解決手段】カメラ付き携帯電話機２００から送信されたメッセージおよび／または写真のデフォルト受信者は、以下の各方法のうちの１つに基づいて決定される。まず、ある方法では、デフォルト受信者は、あらかじめ選択されたデフォルト受信者でもよい。あるいは、別の方法では、デフォルト受信者は、他のメッセージおよび／または写真の最新の受信者に基づいて決定されてもよい。さらに別の方法では、デフォルト受信者は、送信先リストに含まれる、メッセージおよび／または写真の最多数を受信した受信者に基づいて決定されてもよい。さらに別の方法では、デフォルト受信者に対応する、カメラ付き携帯電話機２００のキーを選択して作動させることにより、デフォルト受信者が決定される。【選択図】図１
2006311493.tif 000002
【特許請求の範囲】
【請求項１】
メッセージを作成するステップと、
上記メッセージのデフォルト受信者を決定するステップとを含む、携帯電話機における受信者へのメッセージ送信方法。
【請求項２】
上記決定するステップは、
複数の受信者のアドレスを含む送信先リストから上記メッセージの受信者を選択し、デフォルト受信者として決定するステップである、請求項１に記載のメッセージ送信方法。
【請求項３】
上記デフォルト受信者へ上記メッセージを送信するステップをさらに含む、請求項１に記載のメッセージ送信方法。
【請求項４】
上記デフォルト受信者へメッセージを送信する前に、該デフォルト受信者を、携帯電話機のユーザに対して表示するステップをさらに含む、請求項２に記載のメッセージ送信方法。
【請求項５】
上記デフォルト受信者がユーザに対して表示された後、所定の時間が経過したら、上記デフォルト受信者へのメッセージの送信が行なわれる、請求項３に記載のメッセージ送信方法。
【請求項６】
上記デフォルト受信者を決定するステップは、あらかじめ選択されたデフォルト受信者を決定するステップである、請求項１に記載のメッセージ送信方法。
【請求項７】
上記デフォルト受信者を決定するステップは、他のメッセージの最新の受信者に基づいて、デフォルト受信者を決定するステップを含む、請求項１に記載のメッセージ送信方法。
【請求項８】
上記デフォルト受信者を決定するステップは、送信先リストに含まれる受信者のうち、最多数のメッセージを受信した受信者に基づいて、デフォルト受信者を決定するステップを含む、請求項１に記載のメッセージ送信方法。
【請求項９】
上記デフォルト受信者を決定するステップは、送信先リストに含まれる受信者のうち、最多の枚数の写真を受信した受信者に基づいて、デフォルト受信者を決定するステップを含む、請求項１に記載のメッセージ送信方法。
【請求項１０】
上記デフォルト受信者を決定するステップは、デフォルト受信者に対応する、携帯電話機の選択されたキーの作動に応じて、デフォルト受信者を選択するステップを含む、請求項１に記載のメッセージ送信方法。
【請求項１１】
上記メッセージは、テキストデータを含む、請求項１に記載のメッセージ送信方法。
【請求項１２】
上記メッセージは、音声データを含む、請求項１に記載のメッセージ送信方法。
【請求項１３】
上記メッセージは、画像データを含む、請求項１に記載のメッセージ送信方法。
【請求項１４】
上記携帯電話機は、カメラ付き携帯電話機であり、
上記メッセージは、上記カメラ付き携帯電話機によって撮影された写真を含む、請求項１に記載のメッセージ送信方法。
【請求項１５】
上記携帯電話機は、カメラ付き携帯電話機であり、
上記メッセージは、上記カメラ付き携帯電話機によって撮影された動画データを含む、請求項１に記載のメッセージ送信方法。
【請求項１６】
ユーザからの入力を受信するユーザインターフェースと、
上記ユーザインターフェースと接続されており、該ユーザインターフェースを介してメッセージを受け付けるプロセッサとを備え、
上記メッセージのデフォルト受信者を決定する携帯電話機。
【請求項１７】
上記プロセッサは、上記デフォルト受信者へメッセージを送信する、請求項１６に記載の携帯電話機。
【請求項１８】
上記携帯電話機のユーザに対してデフォルト受信者を表示する表示部をさらに含む、請求項１７に記載の携帯電話機。
【請求項１９】
上記プロセッサは、上記デフォルト受信者がユーザに対して表示された後、所定の時間が経過したら、上記デフォルト受信者へメッセージを送信する、請求項１７に記載の携帯電話機。
【請求項２０】
上記デフォルト受信者は、あらかじめ選択されたデフォルト受信者である、請求項１６に記載の携帯電話機。
【請求項２１】
上記プロセッサは、他のメッセージの最新の受信者を、デフォルト受信者として決定する、請求項１６に記載の携帯電話機。
【請求項２２】
上記プロセッサは、送信先リストに含まれる受信者のうち、最多数のメッセージを受信した受信者を、デフォルト受信者として決定する、請求項１６に記載の携帯電話機。
【請求項２３】
上記プロセッサは、デフォルト受信者に対応する、上記ユーザインターフェースの選択されたキーの作動に応じて、デフォルト受信者を決定する、請求項１６に記載の携帯電話機。
【請求項２４】
上記メッセージは、テキストデータを含む、請求項１６に記載の携帯電話機。
【請求項２５】
上記メッセージは、音声データを含む、請求項１６に記載の携帯電話機。
【請求項２６】
上記メッセージは、画像データを含む請求項１６に記載の携帯電話機。
【請求項２７】
当該携帯電話機は、カメラ付き携帯電話機であり、
上記メッセージは、上記カメラ付き携帯電話機によって撮影された写真を含む、請求項１６に記載の携帯電話機。
【請求項２８】
上記プロセッサは、送信先リストに含まれる受信者のうち、最多の枚数の写真を受信した受信者を、デフォルト受信者として決定する、請求項２７に記載の携帯電話機。
【請求項２９】
当該携帯電話機は、カメラ付き携帯電話機であり、
上記メッセージは、上記カメラ付き携帯電話機によって撮影された動画データを含む、請求項１６に記載の携帯電話機。
【請求項３０】
メッセージを作成するメッセージ作成手段と、
複数の受信者のアドレスを含む送信先リストから上記メッセージの受信者を選択し、デフォルト受信者として決定するアドレス決定手段とを備えていることを特徴とする通信端末装置。
【請求項３１】
コンピュータを、請求項１６から２９のいずれか１項に記載の携帯電話機が備える上記プロセッサ、または、請求項３０に記載の通信端末装置が備える上記各手段として機能させるための制御プログラム。
【請求項３２】
請求項３１に記載の制御プログラムを記録したコンピュータ読み取り可能な記録媒体。
【発明の詳細な説明】
【技術分野】
【０００１】
本発明は、携帯電話機の通信システムに関し、より具体的には、デフォルト受信者へメッセージを送信するためのシステムおよび方法に関するものである。
【背景技術】
【０００２】
近年、カメラモジュールを内蔵する多くの携帯電話機が市販されており、これらの携帯電話機（mobile telephones）は、一般的に、カメラ付き携帯電話機(a mobile camera telephone)またはカメラ付き携帯(a camera phone)と呼ばれている。カメラ付き携帯のユーザは、写真を撮影し、撮影した写真を、例えばワイヤレス電子メールまたはマルチメディアメッセージサービス（Multimedia Messaging Service; ＭＭＳ）を使用して、家族および／または友達に送信できる。ユーザは、所望の写真の受信者を識別するために、カメラ付き携帯に格納されているアドレス帳から名前または名前のグループを選択するか、または、所望の受信者のアドレスをカメラ付き携帯に手動で入力する。
【０００３】
図５に、カメラ付き携帯で撮影した写真を所望の受信者へ送信するための、従来のプロセス１００を説明するフローチャートを示す。図５では、最新送信先リスト（a Recent-Send-To list）を作成し、所望の受信者を最新送信先リストに追加するプロセスも説明されている。ステップ１０１で、カメラ付き携帯のユーザは、例えば、メニューからカメラのアプリケーションを選択することによって、あるいは、カメラのファンクションキーまたはシャッターキーを作動させることによってカメラ機能を起動する。ステップ１０２で、ユーザは、カメラのシャッターキーを作動させて写真を撮影する。ステップ１０３で、ユーザは、カメラ付き携帯電話機の表示部に表示される写真を見て、写真送信機能を手動で選択することにより、画像を特定の受信者へ送信する決定を行う。ユーザが、画像を送信しないことを決定したら、このプロセスはこの時点で終了する。
【０００４】
ステップ１０４で、カメラ付き携帯が最新送信先リストの機能を有しており、最新送信先リストが既に作成されていたら、プロセスはステップ１０５へ進む。ステップ１０４で、カメラ付き携帯が最新送信先リストの機能を有していないか、または、最新送信先リストがまだ作成されていない場合は、ステップ１１０へ進む。
【０００５】
ステップ１０５で、カメラ付き携帯は、ユーザが所望の受信者を選択するための最新送信先リストを、ユーザに表示する。ステップ１０６で、ユーザは、表示された最新送信先リストから、該最新送信先リストをスクロールして、所望の受信者を選択する。所望の受信者が最新送信先リストに含まれていない場合には、ユーザが、例えば、「ＯＴＨＥＲ」を選択するようになっていてもよい。次に、ステップ１０７へ進む。ステップ１０７では、ユーザが「ＯＴＨＥＲ」を選択したかどうかを判定する。ステップ１０７で、「ＯＴＨＥＲ」が選択されていないと判定されたら、ステップ１０８へ進む。ステップ１０８で、ユーザは、例えばＳＥＮＤキーを作動させて写真を含むメッセージを所望の受信者へ送信する。ステップ１０９で、カメラ付き携帯は、ＳＥＮＤキーの作動に応じて写真を含むメッセージを所望の受信者へ送信する。
【０００６】
ステップ１０４で、カメラ付き携帯が最新送信先リストの機能を有していないか、または、最新送信先リストがまだ作成されていないか、または、ステップ１０７で「ＯＴＨＥＲ」が選択されたと判定された場合は、ステップ１１０へ進む。ステップ１１０では、ユーザは、所望の受信者のアドレス（例えば、電子メールアドレス、電話番号、または、ＵＲＬ（Universal Resource Locator）を手動で入力するように促される。この情報は、カメラ付き携帯のアドレス帳または連絡先のアプリケーションからのものであってもよい。次に、ステップ１１１へ進む。ステップ１１１で、ユーザは、例えばＳＥＮＤキーを作動させて写真を含むメッセージを所望の受信者へ送信し、ステップ１１２へ進む。ステップ１１２で、カメラ付き携帯は、ユーザが所望する受信者の名前およびアドレスを最新送信先リストに格納する。次に、ステップ１０９へ進む。ステップ１０９で、カメラ付き携帯は、ＳＥＮＤキーの作動に応じて、写真を含むメッセージをユーザが所望する受信者へ送信する。
【特許文献１】ＷＯ  ００／７２５７７  Ａ１（２０００年１１月３０日公開）
【特許文献２】ＥＰ  １  ０６１  ７５８  Ａ１（２０００年１２月２０日公開）
【発明の開示】
【発明が解決しようとする課題】
【０００７】
しかしながら、上記従来の方法では、ユーザが写真を送信したい相手に送信するための操作は、非常に繁雑になるという問題を生じる。
【０００８】
すなわち、受信者のアドレスの文字列を直接入力したり、また、アドレス帳や最新送信先リストに記録される膨大な量の候補となる受信者から所望の受信者を選択したりする操作は、ユーザにとって面倒な作業である。
【０００９】
特許文献１の方法では、宛先となる１つのサーバのアドレスが「通信アドレス」として常に１つ定まっているような場合にしか適用することができない。携帯電話機には、通常、複数の受信者のアドレスが登録されており、「デフォルト受信者」としては、そのようなアドレス帳から1人の受信者が選択されることになる。したがって、特許文献１の方法を、携帯電話機に適用することはできない。
【００１０】
したがって、携帯電話機から所望の受信者へメッセージを送信するための簡易化された方法が必要とされる。
【００１１】
本発明は、上記の問題点に鑑みてなされたものであり、その目的は、携帯電話機から所望の受信者へメッセージを送信するための簡易化された方法を提供することにある。
【課題を解決するための手段】
【００１２】
本発明に係る携帯電話機における受信者へのメッセージ送信方法は、上記課題を解決するために、メッセージを作成するステップと、上記メッセージのデフォルト受信者を決定するステップとを含むことを特徴としている。
【００１３】
上記方法によれば、上記作成するステップにて作成されたメッセージの送信先ついて、上記決定するステップで、デフォルト受信者が決定される。
【００１４】
デフォルト受信者とは、メッセージを送信する際に、送信先としてデフォルトで携帯電話機に設定されている受信者（のアドレス）のことである。
【００１５】
これにより、ユーザは、作成したメッセージの送信先を選択するための操作をする必要がなくなるので、結果として、携帯電話機から所望の受信者へメッセージを送信する手順を簡易化することが可能となる。
【００１６】
なお、上記決定するステップは、複数の受信者のアドレスを含む送信先リストから上記メッセージの受信者を選択し、デフォルト受信者として決定するステップであることが好ましい。
【００１７】
上記方法によれば、決定するステップにて、複数の受信者のアドレスを含む送信先リストから上記メッセージの受信者を選択して、デフォルト受信者が決定される。
【００１８】
通常携帯電話機には、多数の受信者のアドレスが記憶されており、その中から、メッセージを送信したい相手のアドレスを選択するという作業が必要になる。
【００１９】
特に、同じ受信者に繰り返しメッセージを送信したいにもかかわらず、メッセージを作成する度に、複数の受信者のアドレスから、目的の受信者のアドレスを選び出すという作業は、ユーザにとって負担である。
【００２０】
そこで、例えば、ユーザがメッセージを繰り返し同じ受信者に送信したい場合に、当該受信者をデフォルト受信者として決定することにより、ユーザの、受信者を決定するための操作の繁雑さを軽減することが可能となる。すなわち、受信者を決定するために必要な、キーストローク数を減少させることができる。
【００２１】
結果として、携帯電話機から所望の受信者へメッセージを送信する手順を簡易化することが可能となる。
【００２２】
なお、上記メッセージ送信方法は、上記デフォルト受信者へ上記メッセージを送信するステップをさらに含んでいてもよい。
【００２３】
また、上記メッセージ送信方法は、上記デフォルト受信者へメッセージを送信する前に、該デフォルト受信者を、携帯電話機のユーザに対して表示するステップをさらに含んでいてもよい。
【００２４】
これにより、上記決定するステップにて決定されたデフォルト受信者を、ユーザが確認することが可能となる。
【００２５】
また、上記デフォルト受信者がユーザに対して表示された後、所定の時間が経過したら、上記デフォルト受信者へのメッセージの送信が行なわれるようにしてもよい。
【００２６】
あるいは、上記デフォルト受信者を決定するステップは、送信先リストに含まれる受信者のうち、最多枚数の写真を受信した受信者に基づいて、デフォルト受信者を決定してもよい。
【００２７】
これにより、過去の送信履歴に残る送信先のうち、メッセージに添付される写真データを最も多く受信した受信者が、デフォルト受信者として決定される。
【００２８】
上記デフォルト受信者を決定するステップは、デフォルト受信者に対応する、携帯電話機の選択されたキーの作動に応じて、デフォルト受信者を選択するステップを含んでいてもよい。
【００２９】
これにより、より少ないキー押下回数（キーストローク数）で、ユーザは、上記メッセージの受信者を設定することが可能となる。
【００３０】
本発明に係る携帯電話機は、上記課題を解決するために、ユーザからの入力を受信するユーザインターフェースと、上記ユーザインターフェースと接続されており、該ユーザインターフェースを介してメッセージを受け付けるプロセッサとを備え、上記メッセージのデフォルト受信者を決定することを特徴としている。
【００３１】
上記構成によれば、上記ユーザインターフェースを介して受け付けたユーザからの入力に応じたメッセージに対して、プロセッサが、該メッセージのデフォルト受信者を決定する。
【００３２】
これにより、ユーザは、作成したメッセージの送信先を選択するための操作をする必要がなくなるので、結果として、携帯電話機から所望の受信者へメッセージを送信する手順を簡易化することが可能となる。
【００３３】
上記携帯電話機は、当該携帯電話機のユーザに対してデフォルト受信者を表示する表示部をさらに含んでいてもよい。
【００３４】
上記プロセッサは、上記デフォルト受信者がユーザに対して表示された後、所定の時間が経過したら、上記デフォルト受信者へメッセージを送信するようにしてもよい。
【００３５】
上記プロセッサは、デフォルト受信者に対応する、上記ユーザインターフェースの選択されたキーの作動に応じて、デフォルト受信者を決定するようにしてもよい。
【００３６】
上記プロセッサは、送信先リストに含まれる受信者のうち、最多枚数の写真を受信した受信者を、デフォルト受信者として決定するようにしてもよい。
【００３７】
本発明に係る通信端末装置は、上記課題を解決するために、メッセージを作成するメッセージ作成手段と、複数の受信者のアドレスを含む送信先リストから上記メッセージの受信者を選択し、デフォルト受信者として決定するアドレス決定手段とを備えていることを特徴としている。
【００３８】
上記構成によれば、上記メッセージ作成手段が作成したメッセージの送信先ついて、上記アドレス決定手段は、複数の受信者のアドレスを含む送信先リストから上記メッセージの受信者を選択して、デフォルト受信者を決定する。
【００３９】
これにより、ユーザは、作成したメッセージの送信先を選択するための操作をする必要がなくなるので、結果として、携帯電話機から所望の受信者へメッセージを送信する手順を簡易化することが可能となる。
【００４０】
なお、上記携帯電話機および上記通信端末装置は、コンピュータによって実現してもよく、この場合には、コンピュータを、携帯電話機が備える上記プロセッサ、または、通信端末装置が備える上記各手段として動作させることにより上記携帯電話機または上記通信端末装置をコンピュータにて実現させる携帯電話機の制御プログラム、およびそれを記録したコンピュータ読み取り可能な記録媒体も、本発明の範疇に入る。
【発明の効果】
【００４１】
本発明に係る携帯電話機における受信者へのメッセージ送信方法は、メッセージを作成するステップと、上記メッセージのデフォルト受信者を決定するステップとを含んでいる。これにより、ユーザは、作成したメッセージの送信先を選択するための操作をする必要がなくなるので、結果として、携帯電話機から所望の受信者へメッセージを送信する手順を簡易化することが可能となる。
【発明を実施するための最良の形態】
【００４２】
〔発明の概要〕
本発明は、携帯電話機からデフォルト受信者へメッセージを送信するシステムおよび方法を提供する。本発明の一実施形態では、携帯電話機は、カメラ付き携帯電話機であり、メッセージは、該カメラ付き携帯電話機によって撮影された写真を含んでいる。また、このメッセージは、テキストデータ、音声データ、画像データ、および／または、動画データのいずれであってもよいし、上記各データをさらに含んでいてもよい。本発明では、デフォルト受信者は、あらかじめ選択されたデフォルト受信者であってもよい。あるいは、他のメッセージの最新の受信者に基づいて、デフォルト受信者が決定されてもよい。あるいは、送信先リスト（a send-to list）に含まれる受信者のうち、最多数のメッセージを受信した受信者に基づいて、デフォルト受信者が決定されてもよい。あるいは、デフォルト受信者に対応付けられた携帯電話機のキーが選択されて作動することにより、デフォルト受信者が決定されてもよい。デフォルト受信者は、メッセージがデフォルト受信者へ送信される前に、携帯電話機のユーザに対して表示される。ユーザが表示されたデフォルト受信者に同意するか、または、デフォルト受信者がユーザに表示されてから一定時間が経過したら、メッセージは、デフォルト受信者へ送信される。
【００４３】
〔発明の詳細な説明〕
本発明の一実施形態について図面に基づいて説明すると以下の通りである。なお、図面は、本発明の一例を示すものであり、したがって、本発明は、添付の図面に図示される、符号が付された構成要素およびその類似の構成要素に限定されない。
【００４４】
本発明により、ユーザは、テキスト形式のメッセージ、音声形式のメッセージ、動画形式のメッセージ、画像形式のメッセージ、および／または、写真ベースのメッセージ（本願ではまとめて「複数のメッセージ（各メッセージ／メッセージ群）」または「メッセージ」と呼ぶ）を、同じ受信者（本願ではデフォルト受信者と呼ぶ）へ繰り返し送信できる。特に、本発明の一実施形態では、携帯電話機で作成した全てのメッセージおよび／または携帯電話機で撮影した写真に対して、前回のメッセージ受信者の履歴に基づくデフォルト受信者が自動的に表示される。これにより、プロセスが簡易化され、メッセージおよび／または写真を受け取る所望の受信者を選択するために必要な、キーの押下回数を最少にすることができる。また、本発明の一実施形態では、携帯電話機のユーザが、デフォルト受信者をあらかじめ設定してもよい。あるいは、デフォルト受信者は、ユーザがメッセージおよび／または写真を最後に送信した受信者であってもよい。あるいは、デフォルト受信者は、最多数のメッセージおよび／または写真の受信者であってもよい。さらに、本発明は、携帯電話機に格納されているテキストデータ、音声データ、画像データ、写真ベースの内容、および／または、動画データなどの内容をデフォルト受信者へ送信するために使用できる。
【００４５】
さらに、本発明では、ユーザがメッセージを作成、および／または、写真を撮影した後、何らかのキーをさらに押したり、または、クリックしたりしなくても、上記メッセージおよび／または写真をデフォルト受信者へ自動的に送信することができる。メッセージおよび／または写真をデフォルト受信者へ送信する前に、ユーザがデフォルト受信を確認できるよう、上記デフォルト受信者を携帯電話機のユーザに対して表示する。
【００４６】
本発明の以下の説明では、カメラ付き携帯から所望の受信者へ写真を送信することに主に焦点を絞っているが、本発明はこれに制限されない。本発明は、テキストデータ、音声データ、画像データ、および／または、動画データのいずれか、または、上記各データをさらに含んでいるメッセージを、携帯電話機から所望の受信者へ送信するための技術にも同様に適用できる。さらに、以下では、一人のデフォルト受信者または所望の受信者についての述べているが、本発明は、複数のデフォルト受信者および／または所望の受信者に適用できる。
【００４７】
（携帯電話機の構成−概要）
図２は、本発明において使用するのに好適なカメラ付き携帯電話機２００の機能ブロック図である。カメラ付き携帯電話機２００は、プロセッサ２０１、記憶部２０２、キーボード２０３、計時部２０４、表示部２０５、通信ネットワークインターフェース２０６およびカメラ２０７を備えている。記憶部２０２は、プロセッサ２０１によって実行されるプログラムおよびアプリケーション、各種設定情報、アドレス帳、最新送信先リスト（a Recent-Sent-To list）、および写真のギャラリーなどの情報を格納している。なお、記憶部２０２が格納する情報は、上記に制限されない。キーボード２０３を使用して、ダイアル番号と、各種設定情報と、アドレス帳を作成する情報と、メッセージを作成するテキスト情報とを入力できる。表示部２０５は、情報を表示し、カメラ付き携帯電話機のユーザにビジュアルインターフェースを提供する。通信ネットワークインターフェース２０６は、携帯電話網またはパーソナル通信システム（personal communication system;ＰＣＳ）などの通信ネットワークに対する公知のワイヤレスインターフェースを提供する。カメラ２０７は、公知のカメラタイプの機能を提供する。
【００４８】
計時部２０４は、経過時間を計測するものである。より具体的には、例えば、所定の値（例えば、５秒）を設定すると、５秒経過した時点で、プロセッサ２０１に信号を送るなどする。これにより、所定の時間経過後に、所定の動作をカメラ付き携帯電話機２００に実行させるなどの制御を行うことが可能となる。
【００４９】
以下、携帯電話機から所望の受信者へメッセージを送信するための簡易化された方法を実現するための、カメラ付き携帯電話機２００のプロセッサ２０１および記憶部２０２についてより詳細に説明する。
【００５０】
（携帯電話機の構成−詳細）
図１は、本発明の実施形態に係るカメラ付き携帯電話機２００の要部構成を示すブロック図である。
【００５１】
図１に示すとおり、カメラ付き携帯電話機２００のプロセッサ２０１は、内部に、入出力制御部２と、電子メール制御部１とを有している。
【００５２】
入出力制御部２は、キーボード２０３からの入力信号、および、表示部２０５への出力信号を制御するものである。入出力制御部２は、さらに、ユーザがキーボード２０３を介して入力したカメラ付き携帯電話機２００宛ての指示信号を受け付け、電子メール制御部１の各部に供給するための操作受付部１１、および、電子メール制御部１の処理結果（例えば、電子メール制御部１が決定した、デフォルト受信など）を表示部２０５に表示するよう制御する表示制御部１２を含んでいる。
【００５３】
電子メール制御部１は、メッセージを送受信するためにカメラ付き携帯電話機２００を制御するものである。電子メール制御部１は、さらに、記録更新部２１、メッセージ作成部２２、アドレス決定部２３、および、送信制御部２４を含んでいる。
【００５４】
記憶部２０２には、アドレス帳記録部３１、最新送信先記録部３２、デフォルトアドレス記録部３３、送信回数記録部３４、送信済写真枚数記録部３５、および、キー対応アドレス記録部３６が含まれている。
【００５５】
アドレス帳記録部３１は、カメラ付き携帯電話機２００がメッセージを送信する送信先となる受信者のアドレス情報（送信先リスト）を記録するものである。本実施形態では、一例として、受信者名と、電話番号と、メッセージ送信用の電子メールアドレスとを対応付けて記録するが、これに限定されない。
【００５６】
最新送信先記録部３２は、最新送信先リスト（送信先リスト）を記録するものである。最新送信先リストとは、カメラ付き携帯電話機２００を用いて、過去に送信されたメッセージ群の各送信先を送信履歴としてリスト化したものである。本実施形態では、一例として、送信されたメッセージの受信者の電子メールアドレス（以下、単にアドレスと称す）と、送信日時と、送信されたメッセージの内容（写真や音声データなどの添付データも含む）を対応付けて記録するが、これに限定されない。
【００５７】
なお、最新送信先記録部３２に記録される送信済みメッセージ数は、あらかじめ定められていてもよく、最新送信先記録部３２の最新送信先リストがいっぱいになったのちに、さらに、最新の送信先が記録される場合は、例えば、送信日時の最も古い送信先を削除して、当該最新の送信先を記録するようにすればよい。
【００５８】
デフォルトアドレス記録部３３は、カメラ付き携帯電話機２００において作成されたメッセージの宛先として設定されるデフォルト受信者のアドレスを記録するものである。デフォルトアドレス記録部３３に記録されるアドレスは、ユーザがキーボード２０３を用いてあらかじめ設定しておくことが可能である。
【００５９】
送信回数記録部３４は、上記最新送信先記録部３２の最新送信先リストに記録される送信先ごとに、最新送信先リストに登録されているデータ数を記録するものである。すなわち、過去に送信されたメッセージが、どの送信先（受信者）に、何通送信されたか（メッセージ数）を対応付けて記録し、電子メール制御部１が参照できるようになっている。
【００６０】
送信済写真枚数記録部３５は、上記最新送信先記録部３２の最新送信先リストに記録されている過去の送信済みメッセージに添付された写真のデータ数（枚数）を、送信先ごとに記録するものである。
【００６１】
キー対応アドレス記録部３６は、カメラ付き携帯電話機２００をユーザが操作するためのキーボード２０３などの入力装置に設けられている、キーのそれぞれと、アドレス帳記録部３１に記録されている受信者のアドレスとの対応関係を記録するものである。
【００６２】
より具体的には、例えば、キーボード２０３に設けられているテンキーの「１」のキーに、受信者ＡのアドレスＡを対応付けて、その対応関係をキー対応アドレス記録部３６に記録したとする。これにより、上記「１」のキーを、メッセージ作成後にユーザが押下（例えば「長押し」）した場合に、「１」のキーに対応付けられている、アドレスＡを該作成したメッセージの宛先として設定することが可能となる。
【００６３】
記録更新部２１は、記憶部２０２に含まれる各記録部内の情報を、ユーザの指示に応じて、または、電子メール制御部１の他の各部の動作に応じて自動で、変更するものである。
【００６４】
例えば、デフォルト受信者を新たに設定したり、変更したりする指示をユーザより受け付けると、デフォルトアドレス記録部３３を更新し、ユーザが指定するデフォルト受信者を記録する。また、アドレス帳記録部３１に記録されるアドレス帳や、キー対応アドレス記録部３６に記録される、キーと受信者のアドレスとの対応関係をユーザの指示に応じて更新することもできる。
【００６５】
また、送信制御部２４がメッセージを送信した後、該メッセージの送信履歴が、最新の送信先として記録されるよう、最新送信先記録部３２を更新する。記録更新部２１は、この最新送信先記録部３２の更新に応じて、送信回数記録部３４と送信済写真枚数記録部３５も更新する。
【００６６】
これにより、常に最新の情報に基づいて、デフォルト受信者を決定することができる。
【００６７】
メッセージ作成部２２は、キーボード２０３から入力されたユーザの指示に応じて、送信先に送信するメッセージを作成するものである。メッセージ作成部２２は、操作受付部１１から供給されるユーザの指示に応じて、テキストデータを編集したり、あるいは、写真、その他画像データ、音声データ、および、動画などのデータを添付したりしてメッセージを作成する。
【００６８】
アドレス決定部２３は、メッセージ作成部２２が作成したメッセージの送信先（すなわち、デフォルト受信者）を決定するものである。アドレス決定部２３は、記憶部２０２に含まれる、最新送信先記録部３２、デフォルトアドレス記録部３３、送信回数記録部３４、送信済写真枚数記録部３５、および、キー対応アドレス記録部３６の内容に基づいて、デフォルト受信者を決定する。
【００６９】
送信制御部２４は、ユーザの指示に応じて、または、計時部２０４の動作に応じて自動で、メッセージ作成部２２が作成したメッセージを、アドレス決定部２３が決定したデフォルト受信者宛てに送信する制御を行うものである。
【００７０】
ユーザによって、例えば、送信メニューが選択されたり、キーボード２０３の送信指示に対応するキーが押下されたりすると、送信制御部２４は、操作受付部１１を介して、送信指示の信号を受け付けて、それに応じて、メッセージを送信するようカメラ付き携帯電話機２００を制御する。
【００７１】
あるいは、例えば、計時部２０４を、メッセージ作成部２２が決定したデフォルト受信者が表示部２０５に表示されてからの時間を計時するよう構成する。所定時間（例えば、５秒）経過しても、ユーザから入力がなければ、計時部２０４がそのことを送信制御部２４に伝達する。そして、送信制御部２４が、自動で上記決定されたデフォルト受信者宛てにメッセージを送信するよう制御することができる。
【００７２】
上記構成によれば、アドレス決定部２３は、アドレス帳記録部３１に記録されている複数の受信者から、メッセージ作成部２２が作成したメッセージのデフォルト受信者を決定することが可能となる。すなわち、最新送信先記録部３２、デフォルトアドレス記録部３３、送信回数記録部３４、送信済写真枚数記録部３５、および、キー対応アドレス記録部３６の少なくとも１つが有する情報に基づいて、自動でデフォルト受信者を決定できる。
【００７３】
同じ受信者に繰り返しメッセージを送信したいにもかかわらず、メッセージを作成する度に、複数の受信者のアドレスから、目的の受信者のアドレスを選び出すという作業は、ユーザにとって負担である。
【００７４】
そこで、メッセージを繰り返し同じ受信者に送信する場合に、当該受信者をデフォルト受信者として決定することにより、ユーザの、受信者を決定するための操作の繁雑さを軽減することが可能となる。すなわち、受信者を決定するために必要な、キーストローク数を減少させることができる。
【００７５】
〔実施形態１〕
図３は、本発明の実施形態に係るカメラ付き携帯で撮影した写真を受信者へ送信するための方法を示すフローチャート（３００）である。ステップ３０１で、カメラ付き携帯のユーザは、例えば、メニューからカメラのアプリケーションを選択することによって、あるいは、カメラのファンクションキーまたはシャッターキー（図示せず）を作動させることによってカメラ機能を起動する。なお、上記ファンクションキーは、例えばキーボード２０３またはシャッターキーの一部であって、カメラ２０７の機能と連動していればよい。ステップ３０２で、ユーザはカメラシャッターキーを作動させて写真を撮影し、撮影された写真が表示部２０５に表示される。ステップ３０３で、表示するデフォルト受信者が決定される。すなわち、カメラ付き携帯電話機２００は、表示するデフォルト受信者を決定する。例えば、あらかじめ選択されたデフォルト受信者を、上記表示するデフォルト受信者として決定してもよい。あらかじめ選択されたデフォルト受信者とは、すなわち、デフォルト受信者となるようにユーザによって既に選択されていたデフォルト受信者のことである。あるいは、アドレス帳または最新送信先リストに含まれる、最後の写真の受信者を、デフォルト受信者として選択してもよい。あるいは、カメラ付き携帯から送信されたメッセージの最後の受信者を、表示するデフォルト受信者として決定してもよい。あるいは、カメラ付き携帯から送信された写真枚数が最多数となる受信者を、表示するデフォルト受信者として決定してもよい。例えば、カメラ付き携帯から合計２５枚の写真が送信されており、２５枚のうち１５枚が、１人の特定の受信者へ送信されていたとすると、１５枚の写真を受信した上記受信者が、表示するデフォルト受信者として決定される。あるいは、一定期間（例えば、先月）にカメラ付き携帯から送信された写真枚数が最多数となる受信者が、表示するデフォルト受信者として決定されてもよい。
【００７６】
あるいは、送信済み写真枚数によらず、メッセージ送信数（すなわち、メッセージ送信回数）が最多となる受信者を、表示するデフォルト受信者として決定してもよい。あるいは、写真が含まれるメッセージ送信回数が最多の受信をデフォルト受信者として決定してもよい。
【００７７】
ステップ３０４で、表示するデフォルト受信者が表示部２０５に表示される。なお、ステップ３０２では、上記表示するデフォルト受信者は、表示部２０５に表示されていなくてもよい。ステップ３０５で、ユーザは、表示されたデフォルト受信者へ画像を送信することを決定する。ユーザは、キーボード２０３上の例えばＳＥＮＤキーを作動させて、目的とする受信者へ写真を含むメッセージを送信する。ユーザが画像を送信しないことを決定したら、処理は、その時点で終了する。ステップ３０６で、カメラ付き携帯は、ＳＥＮＤキーの作動に応じて、写真を含むメッセージを上記表示されたデフォルト受信者へ送信する。
【００７８】
あるいは、ステップ３０５で、ユーザは、デフォルト受信者へ写真を送信する場合には、例えばＳＥＮＤキーを「長押し」する（すなわち、継続的に押す）ようにしてもよい。あるいは、ステップ３０５で、ユーザは、所望の受信者を入力するよう指示するメッセージを得るためにキーボード２０３上のＳＥＮＤキーを「短く」押して（すなわち、普通に押して）、表示されたデフォルト受信者とは異なる所望の受信者を選択することができる。あるいは、ユーザは、短縮ダイアルとの対応付けと類似した方法で、あらかじめ所望の受信者と対応付けられている、キーボード２０３のキーを「長押し」するようにしてもよい。そして、ステップ３０６へ進む。ステップ３０６では、カメラ付き携帯は、選択されたキーの「長押し」に応じて、写真を含むメッセージを自動的に送信する。
【００７９】
〔実施形態２〕
図４は、本発明の実施形態に係るカメラ付き携帯で撮影した写真を受信者へ送信するための方法を示すフローチャート（４００）である。ステップ４０１で、カメラ付き携帯のユーザは、例えば、メニューからカメラのアプリケーションを選択することによって、あるいは、カメラのファンクションキーまたはシャッターキー（図示せず）を作動させることによってカメラ機能を起動する。なお、上記ファンクションキーは、例えばキーボード２０３またはシャッターキーの一部であって、カメラ２０７の機能と連動していればよい。ステップ４０２で、ユーザはカメラシャッターキーを作動させて写真を撮影し、撮影された写真が表示部２０５に表示される。ステップ４０３で、表示するデフォルト受信者が決定される。すなわち、カメラ付き携帯電話機２００は、表示するデフォルト受信者を決定する。例えば、あらかじめ選択されたデフォルト受信者を、上記表示するデフォルト受信者として決定してもよい。あるいは、アドレス帳または最新送信先リストに含まれる、最後の写真の受信者を、デフォルト受信者として選択してもよい。あるいは、カメラ付き携帯から送信されたメッセージの最後の受信者を、表示するデフォルト受信者として決定してもよい。あるいは、カメラ付き携帯から送信された写真枚数が最多数となる受信者を、表示するデフォルト受信者として決定してもよい。あるいは、一定期間（例えば、先月）にカメラ付き携帯から送信された写真枚数が最多数となる受信者が、表示するデフォルト受信者として決定されてもよい。
【００８０】
ステップ４０４で、表示するデフォルト受信者は、「ＳＴＯＰ」のコマンドと共に、表示部２０５に表示される。さらに、計時部２０４は、所定の値（例えば、５秒）に初期化される。表示部２０５には、例えば「５秒以内にフレッドへ送信します」、続いて、「４秒以内にフレッドへ送信します」・・・などを表示させてもよい。ステップ４０５で、ユーザが、「ＳＴＯＰ」コマンドを選択したら、ステップ４０７へ進む。ステップ４０５で、ユーザが「ＳＴＯＰ」コマンドを選択せず、所定の時間が経過したら、ステップ４０６で、写真は表示されたデフォルト受信者へ送信される。
【００８１】
ユーザがステップ４０５で「ＳＴＯＰ」コマンドを選択したら、ステップ４０７へ進む。ステップ４０７で、ユーザは、写真を受信者へ送信するかどうかを決定し、ステップ４０８で最新送信先リストが表示部２０５に表示される。（ユーザが、画像を送信しないことを決定したら、処理は、この時点で終了する。）ステップ４０９で、ユーザは所望の受信者を選択する。あるいは、ステップ４０９で、最新送信先リストに所望の受信者が含まれていなければ、ユーザは、例えば「ＯＴＨＥＲ」を選択できようにしてもよい。ステップ４１０で、ユーザが「ＯＴＨＥＲ」を選択したと判定されたら、ステップ４１１へ進む。それ以外の場合は、ステップ４１３へ進む。ステップ４１１で、所望の受信者のアドレス（例えば、電子メールアドレス、電話番号、または、ＵＲＬが、キーボード２０３を介して手動で入力され、表示部２０５に表示される。あるいは、ユーザは、所望の受信者にあらかじめ対応付けられている、キーボード２０３のキーを「長押し」して（すなわち、継続的に押して）、所望の受信者を選択してもよい。ステップ４１２で、所望の受信者のアドレスが、記憶部２０２の最新送信先リストに格納される。次に、ステップ４１３へ進む。
【００８２】
ステップ４１３で、ユーザは、例えば、キーボード２０３上のＳＥＮＤキーを手動で作動させて、写真を含むメッセージを所望の受信者へ送信し、ステップ４０６へ進む。ステップ４０６では、カメラ付き携帯電話機は、ＳＥＮＤキーの作動に応じて写真を含むメッセージを所望の受信者へ送信する。
【００８３】
あるいは、ステップ４０９で、ユーザは、所望の受信者に対応付けられている、キーボード２０３上のキーを「長押し」する（すなわち、継続的に押す）ことによって、表示されたデフォルト受信者とは異なる所望の受信者を選択することができる。この場合、処理は、直接ステップ４０６へ進んでもよい。ステップ４０６では、カメラ付き携帯は、選択されたキーの「長押し」に応じて、写真を含むメッセージを自動的に送信する。
【００８４】
本発明は、携帯電話機に格納されている写真ベースの内容および／または動画データなどを、受信者へ送信するために使用できる。特に、ユーザが、カメラ付き携帯に格納されたメディアギャラリーを見つけ出し、特定の写真を見るために選択する場合、表示するデフォルト受信者は、図３のステップ３０３または図４のステップ４０３に示すような方法で決定される。後続のステップでは、携帯電話機として構成された本発明の実施形態の例で言えば、例えば、ステップ３０４〜３０６または４０４〜４１３に示すような方法が実行される。
【００８５】
上述の発明について、理解を助けるために詳しい例を挙げて説明してきたが、添付の特許請求の範囲内において、変更および変形を行ってよいことは明らかである。従って、本実施形態は、例示的なものであって、制限的なものではないと考えられ、本発明は、ここに記載された細部に制限されず、添付の特許請求の範囲、および、それと等価な範囲内で変更が可能である。
【００８６】
上述の各実施形態では、本発明のメッセージ送信方法を、携帯電話機、特に、カメラ付き携帯電話機に適用した場合について説明したが、本発明のメッセージ送信方法は、これに限定されず、メッセージを送信するための通信機能を備えた、パーソナルコンピュータ、ノートパソコン、ＰＤＡ（personal digital assistant）、および、携帯用ゲーム機などの、種々の通信端末装置に適用することが可能である。
【００８７】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【００８８】
最後に、カメラ付き携帯電話機２００の各ブロック、特に電子メール制御部１および入出力制御部２内の各部は、ハードウェアロジックによって構成してもよいし、次のようにＣＰＵを用いてソフトウェアによって実現してもよい。
【００８９】
すなわち、カメラ付き携帯電話機２００は、各機能を実現する制御プログラムの命令を実行するＣＰＵ（central processing unit）、上記プログラムを格納したＲＯＭ（read only memory）、上記プログラムを展開するＲＡＭ（random access memory）、上記プログラムおよび各種データを格納するメモリ等の記憶装置（記録媒体）などを備えている。そして、本発明の目的は、上述した機能を実現するソフトウェアであるカメラ付き携帯電話機２００の制御プログラムのプログラムコード（実行形式プログラム、中間コードプログラム、ソースプログラム）をコンピュータで読み取り可能に記録した記録媒体を、上記カメラ付き携帯電話機２００に供給し、そのコンピュータ（またはＣＰＵやＭＰＵ）が記録媒体に記録されているプログラムコードを読み出し実行することによっても、達成可能である。
【００９０】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【００９１】
また、カメラ付き携帯電話機２００を通信ネットワークと接続可能に構成し、上記プログラムコードを、通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【産業上の利用可能性】
【００９２】
本発明は、携帯電話機に格納されているテキストデータ、音声データ、画像データ、写真ベースの内容、および／または、動画データなどの内容をデフォルト受信者へ送信するために使用できる。さらに、本発明は、複数のデフォルト受信者および／または所望の受信者を決定する場合にも適用可能である。
【図面の簡単な説明】
【００９３】
【図１】本発明の実施形態に係るカメラ付き携帯電話機の要部構成を示すブロック図である。
【図２】本発明において使用するのに好適なカメラ付き携帯電話機の機能ブロック図である。
【図３】本発明の実施形態に係るカメラ付き携帯で撮影した写真を受信者へ送信するための方法を示すフローチャートである。
【図４】本発明の他の実施形態に係るカメラ付き携帯で撮影した写真を受信者へ送信するための方法を示すフローチャートである。
【図５】カメラ付き携帯で撮影した写真を所望の受信者へ送信するための、従来のプロセスを説明するフローチャートである。
【符号の説明】
【００９４】
１  電子メール制御部
２  入出力制御部
１１  操作受付部
１２  表示制御部
２１  記録更新部
２２  メッセージ作成部（メッセージ作成手段）
２３  アドレス決定部（アドレス決定手段）
２４  送信制御部
３１  アドレス帳記録部
３２  最新送信先記録部
３３  デフォルトアドレス記録部
３４  送信回数記録部
３５  送信済写真枚数記録部
３６  キー対応アドレス記録部
２００  カメラ付き携帯電話機（携帯電話機／通信端末装置）
２０１  プロセッサ
２０２  記憶部
２０３  キーボード（ユーザインターフェース）
２０４  計時部
２０５  表示部
２０６  通信ネットワークインターフェース
２０７  カメラ
【図１】
2006311493.tif 000003
【図２】
2006311493.tif 000004
【図３】
2006311493.tif 000005
【図４】
2006311493.tif 000006
【図５】
2006311493.tif 000007